(57)【特許請求の範囲】
【請求項１】
Ｍｕｌｔｉ  Ｃｈａｎｎｅｌ  Ａｃｃｅｓｓ（ＭＣＡ）方式の無線受信機が本来の周波数チャネルで受信動作を開始するにあたり、ＭＣＡ動作を行う全ての周波数チャネルの受信レベルを確認し、それらの中から受信レベルが規定値以上の周波数チャネルを選択し、受信レベルの高い周波数チャネルから順に送信機からの無線データをサーチするようにした受信周波数チャネル設定方法。
【請求項２】
送信機が送信する無線データを周波数チャネルＮｏ．を含むデータフレームの構成とし、前記無線データに含まれる周波数チャネルＮｏ．に対応する周波数チャネルで受信動作を開始するようにした請求項１記載の受信周波数チャネル設定方法。
【請求項３】
双方向無線通信において、送信する無線データを呼接続要求時と通常通信時とで異なる別々のデータフレームとし、かつ呼接続要求時のみ前記無線データの前記データフレームに周波数チャネルＮｏ．を含むようにした請求項１または２記載の受信周波数チャネル設定方法。
【請求項４】
ＭＣＡ方式を用いた双方向無線通信において、子機はＭＣＡ動作を行う全ての周波数チャネルの受信レベルを確認し、それらの中から受信レベルが規定値以上の周波数チャネルを選択し、さらにそれらの周波数チャネルを受信レベルの高い順にグループ分けし、受信レベルの高い周波数チャネルから順に親機からの無線データをサーチする構成とし、親機は子機のグループごとの受信時間にあわせて呼接続要求時の無線データ連続送信時間を設定とした受信周波数チャネル設定方法。
【発明の詳細な説明】
【０００１】
【発明の属する技術分野】
本発明は特定小電力無線局など、Ｍｕｌｔｉ  Ｃｈａｎｎｅｌ  Ａｃｃｅｓｓ（以下、ＭＣＡという）方式を用いて複数の周波数チャネルの中から受信周波数チャネルを選択する無線装置の受信周波数チャネル設定方法に関するものである。
【０００２】
【従来の技術】
特定小電力無線局などの無線装置では、周波数の有効利用を図るために多数の無線利用者が複数の無線チャネルを共同で利用するＭＣＡ方式を用いて無線通信を行っており、ＭＣＡ方式を用いた無線通信では、送信機は送信を開始する前にキャリアセンスを行い、複数の周波数チャネルの中から送信機の周囲で使用されていない周波数チャネルを探し、その周波数チャネルで送信を開始する。そして受信機は複数の周波数チャネルを切り替えながら受信し、送信機からの無線データを受信した周波数チャネルで受信動作を続けるものである。
【０００３】
以下に従来のこの種の無線装置の受信周波数チャネル設定方法について説明する。
【０００４】
図１０は特開平６−２４４７７７号公報に開示された受信周波数チャネル設定方法のブロック図であり、図１１は同フローチャートである。ここでは図１０のブロック図に示すように電界検出部１０９により無線部１０２で受信中の受信レベルを検出し、図１１のフローチャートに示すように受信レベルが規定値以上の場合に送信機からの無線データをサーチし、システム情報の一致する本来の対象となる送信機からの無線データを受信できた場合に受信周波数チャネルを確定している。
【０００５】
【発明が解決しようとする課題】
しかしながら、送信機の周辺に他の周波数チャネルを使用している別の送信機が存在している場合や、本来送信すべき周波数チャネルとは別の周波数チャネルの電波が漏洩している場合、これらの間で相互変調が発生することがある。例えば本来の送信すべき周波数チャネルをｆ1とし、妨害波となる別の送信源が送信する周波数チャネルをｆ2とすると、２ｆ1−ｆ2，２ｆ2−ｆ1，３ｆ1−２ｆ2，３ｆ2−２ｆ1などの周波数チャネルにスペクトルが発生し、加えて前記妨害波となる別の送信源が無変調データであった場合には、これらの周波数チャネルに発生したスペクトルは本来の送信機から送信される無線データと同一データとなってしまうので、上記従来の受信周波数チャネル設定方法では、ＭＣＡ動作タイミングによっては本来の送信すべき周波数チャネルよりも先に別の周波数チャネルで対象となる送信機からの無線データを受信し、受信周波数チャネルを確定してしまうことになる。この場合でも、受信レベルは規定値以上であるため受信は可能であるが、本来の受信すべき周波数チャネルに比べ受信レベルが低いために、到達距離が低下したり受信動作が不安定になってしまうという課題を有していた。
【０００６】
また、本来の送信すべき周波数チャネルだけで送信されている場合でも、受信機内部の発振器の発振周波数や受信機に入り込むノイズの周波数と本来の送信すべき周波数チャネルとの間で相互変調が発生することがあり、この場合にも同様の課題を有していた。
【０００７】
本発明はこのような従来の課題を解決し、相互変調が発生するような状況においても本来の周波数チャネルで受信動作を開始することができるという信頼性の高い受信周波数チャネル設定方法を提供することを目的とするものである。
【０００８】
【課題を解決するための手段】
この課題を解決するために本発明による受信周波数チャネル設定方法は、ＭＣＡ方式の無線受信機が本来の周波数チャネルで受信動作を開始するにあたり、ＭＣＡ動作を行う全ての周波数チャネルの受信レベルを確認し、それらの中から受信レベルが規定値以上の周波数チャネルを選択し、受信レベルの高い周波数チャネルから順に送信機からの無線データをサーチする構成としたものである。
【０００９】
この本発明によれば、相互変調が発生するような状況においても本来の周波数チャネルで受信動作を開始することができる信頼性の高い受信周波数チャネル設定方法が得られる。
【００１０】
【発明の実施の形態】
本発明の請求項１に記載の発明は、ＭＣＡ方式の無線受信機が本来の周波数チャネルで受信動作を開始するにあたり、ＭＣＡ動作を行う全ての周波数チャネルの受信レベルを確認し、それらの中から受信レベルが規定値以上の周波数チャネルを選択し、受信レベルの高い周波数チャネルから順に送信機からの無線データをサーチする構成としたものであり、相互変調が発生するような状況においても本来の周波数チャネルで受信動作を行うことができるという作用を有する。
【００１１】
本発明の請求項２に記載の発明は、請求項１記載の発明において、送信機が送信する無線データを周波数チャネルＮｏ．を含むデータフレームの構成とし、前記無線データに含まれる周波数チャネルＮｏ．に対応する周波数チャネルで受信動作を開始する構成としたものであり、相互変調が発生するような状況においても本来の周波数チャネルで受信動作を行うことができるという作用とＭＣＡ動作中の通信状態により本来の送信すべき周波数チャネルの受信レベルが低下した場合においても本来の周波数チャネルを確定して受信動作を開始できるという作用を有する。
【００１２】
本発明の請求項３に記載の発明は、請求項１または２記載の発明において、双方向無線通信における送信する無線データを呼接続要求時と通常通信時とで異なる別々のデータフレームとし、かつ呼接続要求時のみ前記無線データの前記データフレームに周波数チャネルＮｏ．を含む構成としたものであり、相互変調が発生するような状態においても本来の周波数チャネルで受信動作を行うことができるという作用とＭＣＡ動作中の通信状態により本来の送信すべき周波数チャネルの受信レベルが低下した場合においても本来の周波数チャネルで受信動作を行うことができるという作用および親機が子機の周波数チャネル設定結果の情報を確認できるので、さらに信頼性の高い周波数チャネル設定ができるという作用と呼接続要求時と通常通信時が異なる別々のデータフレームなので、通信応答時間を短縮することができるという作用を有する。
【００１３】
本発明の請求項４に記載の発明は、ＭＣＡ方式を用いた双方向無線通信において、子機はＭＣＡ動作を行う全ての周波数チャネルの受信レベルを確認し、それらの中から受信レベルが規定値以上の周波数チャネルを選択し、さらにそれらの周波数チャネルを受信レベルの高い順にグループ分けし、受信レベルの高い周波数チャネルから順に親機からの無線データをサーチする構成とし、親機は子機のグループごとの受信時間にあわせて呼接続要求時の無線データ連続送信時間を設定としたものであり、チャネルグループ管理を必要とせず、受信レベルが高いほど呼の接続が短時間でできるという作用を有する。
【００１４】
以下、本発明の実施の形態について、図１から図９を用いて説明する。
（実施の形態１）
図１は本発明の第１の実施の形態における受信周波数チャネル設定方法を説明するためのブロック図、図２は同フローチャートであり、図１において、１はアンテナ、２は受信回路、３は受信回路２で受信中の受信レベルを検出する受信レベル検出手段、４はあらかじめ受信レベルの規定値を設定しておく受信レベル規定値設定手段、５は受信レベル検出手段３で得られた受信レベルと受信レベル規定値とを比較する比較制御手段、６は受信レベル規定値以上の受信レベルが検出された受信周波数チャネルＮｏ．とそれに対応する受信レベルを格納するメモリ手段、７は受信回路２に対して受信周波数チャネルを設定する受信周波数チャネル設定手段、８は受信回路２で受信した無線データを入力するデータ入力手段、９は受信した無線データの確認やメモリ手段６に対する制御などを行う演算制御手段である。
【００１５】
以下に図１および図２を用いて本実施の形態の受信周波数チャネル設定方法を説明する。
【００１６】
まず、演算制御手段９から受信周波数チャネル設定手段７を通じて受信回路２に対し受信周波数チャネルを初期化し、受信レベル検出手段３により現在設定されている受信周波数チャネルの受信レベルの検出を行う。そして検出した受信レベルと受信レベル規定値設定手段４によりあらかじめ設定されている受信レベル規定値とを比較制御手段５を用いて比較し、検出した受信レベルが受信レベル規定値以上であれば現在設定されている受信周波数チャネルＮｏ．と検出した受信レベルをメモリ手段６に格納する。以上の動作をＭＣＡ動作を行う全ての周波数チャネルについて実行する。
【００１７】
次に、演算制御手段９はメモリ手段６に受信レベル規定値以上の受信周波数チャネルＮｏ．が格納されているかを確認し、格納されていない場合には受信周波数チャネルの初期化から再実行する。格納されている場合には検出した受信レベルの高い順に受信周波数チャネルＮｏ．を並び替え、さらに並び替えられた受信周波数チャネルＮｏ．に基づき受信周波数チャネル設定手段７を通じて受信回路２に対し受信周波数チャネルを設定し、データ入力手段８を通じて対象となる送信された無線データを２フレーム送信時間以上の一定の時間サーチする。一定時間内に対象となる送信された無線データを１フレーム分受信できた場合は受信周波数チャネルを確定し、受信動作を開始する。
【００１８】
また、一定時間内に対象となる送信された無線データを受信できなかった場合にはメモリ手段６に格納されている次の受信周波数チャネルに切り替え、同じ動作を繰り返し実行するが、さらにメモリ手段６に格納されている全ての受信周波数チャネルにおいて対象となる送信された無線データを受信できなかった場合には受信周波数チャネルの初期化から再実行する。
【００１９】
以上のように、ＭＣＡ動作を行う全ての周波数チャネルの受信レベルを確認し、それらの中から受信レベルが規定値以上の周波数チャネルを選択し、受信レベルの高い周波数チャネルから順に送信された無線データをサーチすることにより、相互変調が発生するような状況において受信することができる周波数チャネルが複数存在する場合でも、本来受信すべき周波数チャネルを確定し、受信動作を開始することができる。
【００２０】
なお、本実施の形態では、受信レベル検出手段３、受信レベル規定値設定手段４、比較制御手段５、メモリ手段６、受信周波数チャネル設定手段７、データ入力手段８、および演算制御手段９を独立の構成としたが、ワンチップマイクロコンピュータの機能を利用した構成としても同じ効果が得られる。
【００２１】
（実施の形態２）
図３は本発明の第２の実施の形態における受信周波数チャネル設定方法を説明するための無線データフレームの構成図であり、図４は同フローチャートである。
【００２２】
なお、本実施の形態の構成は、本発明の第１の実施の形態の図１と同じである。
【００２３】
以下に図３および図４を用いて本実施の形態の受信周波数チャネル設定方法を説明する。
【００２４】
まず、図３に示すように送信する１フレームの無線データを周波数チャネルＮｏ．を含む無線データの構成とする。ここで周波数チャネルＮｏ．とは送信機からの送信周波数に対応した周波数チャネルＮｏ．であり、送信機はこの無線データを連続送信する。
【００２５】
受信機は本発明の第１の実施の形態で説明した方法でＭＣＡ動作を行う全ての周波数チャネルの受信レベルを確認し、それらの中から受信レベルが規定値以上の周波数チャネルを選択し、受信レベルの高い周波数チャネルから順に送信機からの無線データをサーチする。サーチの結果、対象となる送信機からの無線データの内、周波数チャネルＮｏ．を除いた無線データを１フレーム分受信できた場合は無線データの周波数チャネルＮｏ．を読み出し、現在受信機に設定中の周波数チャネルと合致すれば、そのまま受信すべき周波数チャネルとして確定する。
【００２６】
また、無線データの周波数チャネルＮｏ．が現在受信機に設定中の周波数チャネルと違う場合は、無線データの周波数チャネルＮｏ．が示す周波数チャネルに変更し、受信すべき周波数チャネルとして確定、受信動作を開始する。
【００２７】
以上のように、相互変調が発生するような状況において、無線送信データを受信することができる周波数チャネルが複数存在し、かつＭＣＡ動作中の通信状態により本来受信すべき周波数チャネルの受信レベルが一時的に低下して、最大の受信レベルではない場合においても、本来受信すべき周波数チャネルを確定し、受信動作を開始することができる。
【００２８】
（実施の形態３）
図５は本発明の第３の実施の形態における受信周波数チャネル設定方法を説明するためのブロック図であり、上記実施の形態１と同一部分は同一番号を付し、詳細な説明は省略する。
【００２９】
図５において、１１は送受信回路、１２は送受信回路１１に対して送受信すべき周波数チャネルを設定する送受信周波数チャネル設定手段、１３は送受信回路１１および演算制御手段９に対して無線データの入出力を行うデータ入出力手段である。
【００３０】
図６は本実施の形態における受信周波数チャネル設定方法を説明するための呼接続要求時および通常通信時の無線データフレームの構成図であり、図７は同シーケンス図である。
【００３１】
以下に図５〜図７を用いて本実施の形態の受信周波数チャネル設定方法を説明する。
【００３２】
まず、図６に示すように呼接続要求時に使用する呼接続要求信号と通常通信時に使用する無線データを異なる別々のデータフレームの構成とし、かつ呼接続要求信号のみ無線データに送信すべき周波数チャネルＮｏ．を含むデータフレームの構成とする。親機はキャリアセンスを行い送信すべき周波数チャネルを決定し、それに対応する周波数チャネルＮｏ．を付加した呼接続要求信号をＮフレーム送信する。送信するフレーム数Ｎは次に示すように子機の受信レベル検出時におけるＭＣＡ動作周期および呼接続要求信号受信時におけるＭＣＡ動作周期から設定する。
【００３３】
子機の受信レベル検出時におけるＭＣＡ動作周期は受信する周波数チャネルの切り替え時間と受信レベル検出時間とからなる。例えば受信する周波数チャネルの切り替え時間を５０ｍｓ、受信レベル検出時間を１０ｍｓとすると受信レベル検出時におけるＭＣＡ動作周期は６０ｍｓとなり、ＭＣＡを行う周波数チャネルを５チャネルとすると、全ての周波数チャネルで受信レベル検出を完了するまでの時間は３００ｍｓとなる。
【００３４】
また、呼接続要求信号受信時におけるＭＣＡ動作周期は受信する周波数チャネルの切り替え時間と呼接続要求信号１フレームの送信時間を基に設定しており、例えば呼接続要求信号１フレームの送信時間を２０ｍｓとすると親機と子機の周波数チャネルが同一の場合、呼接続要求信号１フレームの送信時間の少なくとも２倍以上の間、受信状態を継続すれば呼接続要求信号を１フレーム受信することが可能なので、ＭＣＡ実行中の１つの周波数チャネルあたりの受信継続時間を５０ｍｓとすると、周波数チャネルの切り替え時間は５０ｍｓであるから呼接続要求信号受信時におけるＭＣＡ動作周期は１００ｍｓとなる。
【００３５】
さらに呼接続要求信号受信は規定値以上の受信レベルを検出した周波数チャネルに対して実行するが、ＭＣＡを行う５チャネルの全てで規定値以上の受信レベルを検出する可能性もあるため、全ての周波数チャネルで呼接続要求信号受信するためには５００ｍｓ必要である。従って親機は８００ｍｓ以上、すなわち４０フレーム以上の呼接続要求信号を送信する。
【００３６】
子機は８００ｍｓの間に本発明の第１の実施の形態で説明した方法で親機から送信される無線データをサーチし、本発明の第２の実施の形態で説明した方法で受信すべき周波数チャネルを確定し、呼接続応答信号を親機に対して送信することで呼の接続が完了したことを伝える。
【００３７】
親機は呼接続応答信号を受信することにより通常通信へと移行する。このように親機が子機の周波数チャネル設定結果を確認でき、さらに信頼性が高い周波数チャネル設定ができるとともに、通常通信時のデータフレームには周波数チャネルＮｏ．を含まないためデータフレームを短縮することができるので通信応答時間を短縮することができる。
【００３８】
なお、本実施の形態では呼接続応答信号の内容は特に明記しなかったが、受信した呼接続要求信号をそのまま呼接続応答信号として返送することで、より信頼性の高い周波数チャネル設定を行うこともできる。
【００３９】
（実施の形態４）
次に、上述した実施の形態３をさらに応用展開した方法について説明する。すなわち、実施の形態３のような受信周波数チャネル設定方法では、ＭＣＡを行うチャネルの全てで規定値以上の受信レベルを検出する可能性を考慮して親機の呼接続要求信号の送信時間を設定する必要があるため、ＭＣＡを行うチャネル数が多いほど親機の呼接続要求信号の送信時間を長くする必要があった。
【００４０】
そして子機は対象となる無線データを１フレーム受信できた時点で受信周波数を確定することはできるが、親機の呼接続要求信号の送信が終了するまで親機に対して呼接続応答信号を送信することができないものであった。
【００４１】
従って、受信レベルが十分に高くかつ対象となるデータを受信できた場合においても、ＭＣＡを行うチャネル数が多くなると呼の接続に必要な時間が長くなってしまうという課題を有していた。
【００４２】
また使用するチャネルをあらかじめ複数のチャネルグループに分割し、ＭＣＡを行うチャネル数を減らすことにより呼の接続に必要な時間を短縮する方法も考えられるが、この場合、親機と子機のそれぞれにディップスイッチやＥＥＰＲＯＭなどを設けチャネルグループを設定しておく必要があった。
【００４３】
また無線装置を使用する際に設定されているチャネルグループ内のすべてのチャネルが他の無線機により占有されている場合、他のチャネルグループに設定を変更しなければならないが無線装置は遠隔操作位置に組み込まれているためその作業は煩雑なものになってしまうものであった。
【００４４】
そして、チャネルグループの設定変更作業を防止するためにはあらかじめ使用状況に応じたチャネルグループ管理を行わなければならないという課題を有していた。
【００４５】
本実施の形態はこのような課題を解決し、チャネルグループ管理を必要とせず、受信レベルが高いほど呼の接続が短時間でできるという受信周波数チャネル設定方法を実現するものである。
【００４６】
図８は本発明の第４の実施の形態における受信周波数チャネル設定方法を実現するブロック図であり、図８において、２１はアンテナ、２２は送受信回路、２３は送受信回路２２で受信中の受信レベルを検出する受信レベル検出手段、２４はあらかじめ受信レベルの規定値を設定しておく受信レベル規定値設定手段、２５は受信レベル検出手段２３で得られた受信レベルと受信レベル規定値設定手段２４で設定されている受信レベル規定値とを比較する比較制御手段、２６は受信レベル規定値以上の受信レベルが検出された受信周波数チャネルＮｏ．とそれに対応する受信レベルを格納するメモリ手段、２７は無線データの入出力を行うデータ入出力手段、２８は送受信回路２２に対して送受信すべき周波数チャネルを設定する送受信周波数チャネル設定手段、２９は受信した無線データの確認やメモリ手段２６に対する制御などを行う演算制御手段である。図９は同実施の形態における受信周波数チャネル設定方法を実現するフローチャートである。
【００４７】
以下に図８および図９を用いて本実施の形態の受信周波数チャネル設定方法を説明する。
【００４８】
子機はまず演算制御手段２９から送受信周波数チャネル設定手段２８を通じて送受信回路２２に対し受信周波数チャネルを初期化し、受信レベル検出手段２３により現在設定されている受信周波数チャネルの受信レベルの検出を行う。そして検出した受信レベルと受信レベル規定値設定手段２４によりあらかじめ設定されている受信レベル規定値とを比較制御手段２５を用いて比較し、検出した受信レベルが受信レベル規定値以上であれば現在設定されている受信周波数チャネルＮｏ．と検出した受信レベルをメモリ手段２６に格納する。以上の動作をＭＣＡ動作を行う全ての周波数チャネルについて実行する。
【００４９】
次に演算制御手段２９はメモリ手段２６に受信レベル規定値以上の受信周波数チャネルＮｏ．が格納されているかを確認し、格納されていない場合には受信周波数チャネルの初期化から再実行する。格納されている場合には検出した受信レベルの高い順に受信周波数チャネルＮｏ．を並び替え、Ｍ個のチャネルグループに分割する。そして受信レベルの高い受信周波数チャネルが格納されているチャネルグループから順に送受信周波数チャネル設定手段２８を通じて送受信回路２２に対し受信周波数チャネルを設定し、データ入出力手段２７を通じて対象となる送信された無線データを２フレーム送信時間以上の一定の時間サーチする。
【００５０】
一定時間内に対象となる送信された無線データを１フレーム分受信できた場合は受信周波数チャネルを確定し、親機の送信終了を待ち、親機に対して呼接続応答信号を送信する。また一定時間内に対象となる送信された無線データを受信できなかった場合にはメモリ手段２６に格納されている次の受信周波数チャネルに切り替え、同じ動作を繰り返し実行するが、さらにメモリ手段２６に格納されている全てのチャネルグループにおいて対象となる送信された無線データを受信できなかった場合には受信周波数チャネルの初期化から再実行する。
【００５１】
親機はキャリアセンスを行い送信すべき周波数チャネルを決定し、呼接続要求信号をＮフレーム送信する。送信するフレーム数Ｎは次に示すように子機のＭＣＡを行う全ての周波数チャネルの受信レベル検出時におけるＭＣＡ動作周期およびＭＣＡを行う全ての周波数チャネルをＭ個のチャネルグループに分割した時のチャネルグループ１つあたりの呼接続要求信号受信時におけるＭＣＡ動作周期から設定する。子機の受信レベル検出時におけるＭＣＡ動作周期は受信する周波数チャネルの切り替え時間と受信レベル検出時間とからなる。例えば受信する周波数チャネルの切り替え時間を５０ｍｓ、受信レベル検出時間を１０ｍｓとすると受信レベル検出時におけるＭＣＡ動作周期は６０ｍｓとなり、ＭＣＡを行う周波数チャネルを４０チャネルとすると、全ての周波数チャネルで受信レベル検出を完了するまでの時間は２４００ｍｓとなる。
【００５２】
次にＭＣＡを行う全ての周波数チャネル数４０を８個のチャネルグループに分割したとするとチャネルグループ１つあたりは５チャネルとなる。また呼接続要求信号受信時におけるＭＣＡ動作周期は受信する周波数チャネルの切り替え時間と呼接続要求信号１フレームの送信時間を基に設定しており、例えば呼接続要求信号１フレームの送信時間を２０ｍｓとすると親機と子機の周波数チャネルが同一の場合、呼接続要求信号１フレームの送信時間の少なくとも２倍以上の間、受信状態を継続すれば呼接続要求信号を１フレーム受信することが可能なので、ＭＣＡ実行中の１つの周波数チャネルあたりの受信継続時間を５０ｍｓとすると、周波数チャネルの切り替え時間は５０ｍｓであるから呼接続要求信号受信時におけるＭＣＡ動作周期は１００ｍｓとなる。
【００５３】
さらに呼接続要求信号受信は規定値以上の受信レベルを検出した周波数チャネルに対して実行するが、チャネルグループ内５チャネルの全てで規定値以上の受信レベルを検出する可能性もあるため、全ての周波数チャネルで呼接続要求信号を受信するためには５００ｍｓ必要である。従って親機は２９００ｍｓ以上、すなわち１４５フレーム以上の呼接続要求信号を送信する。
【００５４】
そして一定時間内に子機からの呼接続応答信号を受信した場合に通常通信へと移行する。また一定時間内に子機からの呼接続応答信号を受信できなかった場合には呼接続要求信号の送信と呼接続応答信号の受信を継続する。
【００５５】
このように親機は子機のグループごとの受信時間にあわせて呼接続要求時の無線データ連続送信時間を設定し、子機は受信レベルの高い順に親機からの呼接続要求信号を受信するので受信レベルが高いほど呼の接続が短時間でできると同時にチャネル管理も不要となる。
【００５６】
なお、本実施の形態では、受信レベル検出手段２３、受信レベル規定値設定手段２４、比較制御手段２５、メモリ手段２６、データ入出力手段２７、送受信周波数チャネル設定手段２８、および演算制御手段２９を独立の構成としたが、ワンチップマイクロコンピュータの機能を利用した構成としても同じ効果が得られる。
【００５７】
【発明の効果】
以上のように本発明による受信周波数チャネル設定方法は、ＭＣＡ動作を行う全ての周波数チャネルの受信レベルを確認し、それらの中から受信レベルが規定値以上の周波数チャネルを選択し、受信レベルの高い周波数チャネルから順に送信された無線データをサーチすることにより、相互変調が発生するような状況において受信することができる周波数チャネルが複数存在する場合でも、本来受信すべき周波数チャネルを確定し、受信動作を開始することができるという効果が得られるものである。
【００５８】
また、送信機が送信する無線データを周波数チャネルＮｏ．を含むデータフレームの構成とし、前記無線データに含まれる周波数チャネルＮｏ．に対応する周波数チャネルで受信動作を開始することにより、ＭＣＡ動作中の通信状態により本来受信すべき周波数チャネルの受信レベルが一時的に低下して、最大の受信レベルではない場合においても、本来受信すべき周波数チャネルを確定し、受信動作を開始することができるという効果が得られるものである。
【００５９】
また、双方向無線通信において、送信する無線データを呼接続要求時と通常通信時とで異なる別々のデータフレームとし、かつ呼接続要求時のみ前記無線データの前記データフレームに周波数チャネルＮｏ．を含む構成とすることにより、親機が子機の周波数チャネル設定結果を確認でき、信頼性が高い周波数チャネル設定ができるとともに、通常通信時のデータフレームには周波数チャネルＮｏ．を含まないためデータフレームを短縮することができるので通信応答時間を短縮することができるという効果が得られるものである。
【００６０】
さらに、ＭＣＡ方式を用いた双方向無線通信において、子機はＭＣＡ動作を行う全ての周波数チャネルの受信レベルを確認し、それらの中から受信レベルが規定値以上の周波数チャネルを選択し、さらにそれらの周波数チャネルを受信レベルの高い順にグループ分けし、受信レベルの高い周波数チャネルから順に親機からの無線データをサーチする構成とし、親機は子機のグループごとの受信時間にあわせて呼接続要求時の無線データ連続送信時間を設定としたものであり、チャネルグループ管理を必要とせず、受信レベルが高いほど呼の接続が短時間でできるという効果が得られるものである。
【図面の簡単な説明】
【図１】本発明の実施の形態１における受信周波数チャネル設定方法を説明するためのブロック図
【図２】同フローチャート
【図３】本発明の実施の形態２における受信周波数チャネル設定方法に用いる送信データフレームの構成を示す概念図
【図４】同フローチャート
【図５】本発明の実施の形態３における受信周波数チャネル設定方法を説明するためのブロック図
【図６】同呼接続要求時および通常通信時の通常データフレームの構成を示す概念図
【図７】同シーケンス図
【図８】本発明の実施の形態４における受信周波数チャネル設定方法を説明するためのブロック図
【図９】同フローチャート
【図１０】従来の受信周波数チャネル設定方法を説明するためのブロック図
【図１１】同フローチャート
【符号の説明】
１  アンテナ
２  受信回路
３  受信レベル検出手段
４  受信レベル規定値設定手段
５  比較制御手段
６  メモリ手段
７  受信周波数チャネル設定手段
８  データ入力手段
９  演算制御手段
１１  送受信回路
１２  送受信周波数チャネル設定手段
１３  データ入出力手段
【図１】
0003543574.tif 000002
【図２】
0003543574.tif 000003
【図３】
0003543574.tif 000004
【図４】
0003543574.tif 000005
【図５】
0003543574.tif 000006
【図６】
0003543574.tif 000007
【図７】
0003543574.tif 000008
【図８】
0003543574.tif 000009
【図９】
0003543574.tif 000010
【図１０】
0003543574.tif 000011
【図１１】
0003543574.tif 000012